【事件の表示】
　特願２００７−２９１６１７「カラープリンタ及びその制御方法」拒絶査定不服審判事件〔平成２０年　５月　１日出願公開、特開２００８−１００５２１〕について、次のとおり審決する。
【結　論】
　本件審判の請求は、成り立たない。
【理　由】
１　手続の経緯
　本件出願（以下「本願」という。）は、平成１１年３月２９日に出願した特願平１１−８６４９０号の一部を平成１９年１１月９日に新たな特許出願としたものであって、平成２０年２月２８日付けで手続補正がなされ、同年６月２日付けで拒絶の理由が通知され、同年７月２４日付けで手続補正がなされたが、同年１０月１７日付けで拒絶査定がなされ、これに対し、同年１１月２０日に本件審判が請求されるとともに、同年１２月１２日付けで特許請求の範囲についての手続補正がなされ、当審において平成２１年８月２６日付けで審尋を行ったところ、当該審尋に対する回答はなされていない。
　その後、当審において、平成２０年１２月１２日付けの手続補正が平成２２年６月１７日付けで却下されるとともに、同日付けで拒絶の理由（以下「当審拒絶理由」という。）の通知がなされ、同年８月２３日付けで手続補正がなされたものである。
　
２　本願発明
　本願の請求項１に係る発明は、平成２２年８月２３日付けの手続補正により補正された特許請求の範囲の記載からみて、その特許請求の範囲の請求項１に記載された事項により特定される次のとおりのものであると認める。
　
　「【請求項１】
　印刷ヘッドと、
　前記印刷ヘッドを主走査方向に移動させる移動機構と、
　１印刷行分の色別のイメージデータをそれぞれ記憶する複数のイメージバッファと、
　前記主走査方向における前記１印刷行の各色イメージの開始位置から終了位置までの範囲に対応する各色イメージバッファの記憶領域に、前記１印刷行分の各色イメージデータを格納するデータ格納手段と、
　前記各色イメージバッファ内に格納された前記各色イメージデータ内の両端部に存在するヌル領域および、前記各色イメージバッファ内に格納された前記各色イメージデータ以外に存在するヌル領域を除外した各色の正味のイメージデータの最先頭アドレスと最後尾アドレスとに基づいて、前記最先頭アドレスに対応する主走査方向の印刷開始位置から、前記最後尾アドレスに対応する主走査方向の印刷終了位置までの位置範囲を前記印刷ヘッドが連続移動するように、前記移動機構を制御する移動制御手段と、
　前記各色イメージバッファの前記最先頭アドレスから前記最後尾アドレスまでの記憶領域から読み出した前記各色のイメージデータを前記印刷ヘッドに供給するヘッド駆動手段と、
　を備え、
　前記最先頭アドレスは、前記複数のイメージバッファに格納された色別のイメージデータの開始アドレスのうち最小のアドレスであり、
　前記最後尾アドレスは、前記複数のイメージバッファに格納された色別のイメージデータの終了アドレスのうち最大のアドレスである
カラープリンタ。」（以下「本願発明」という。）
　
３　刊行物に記載された発明
（１）当審拒絶理由に引用された刊行物であって、本願の出願前に頒布された特開平１１−４２７８５号公報（以下「引用文献」という。）には、以下の記載が図示とともにある（下線は当審で引いた。以下同じ。）。
　ア　「【特許請求の範囲】
【請求項１】  複数のノズルを副走査方向に配置したインクジェットヘッドをキャリッジに搭載し、このキャリッジを主走査方向に移動させて記録を行うインクジェット記録装置において、主走査方向に１ライン毎に記録密度単位でシリアルに記録データを生成する記録データ生成手段と、この記録データ生成手段で生成された記録データを受信する受信手段と、この受信手段で受信した記録データを格納するメモリ手段と、このメモリ手段から前記インクジェットヘッドのノズル配置に合わせて記録データを読み出す読出し手段を備えると共に、前記受信手段には実効印写領域を検出する実効印写領域検出手段を備えたことを特徴とするインクジェット記録装置。
【請求項２】  請求項１に記載のインクジェット記録装置において、前記実効印写領域検出手段は主走査方向に１ライン毎に生成されるシリアルの記録データに含まれるインク滴吐出データに対応する最初のアドレス及び最後のアドレスを検出することを特徴とするインクジェット記録装置。
【請求項３】  請求項１又は２に記載のインクジェット記録装置において、前記インクジェットヘッドはｎ個のノズルを前記記録密度と同じノズル配置密度で配置したヘッドからなり、前記実効印写領域検出手段は連続したｎライン分の記録データに含まれるインク滴吐出データに対応する最小アドレス値の最初のアドレス及び最大アドレス値の最後のアドレスを検出することを特徴とするインクジェット記録装置。
【請求項４】  請求項３に記載のインクジェット記録装置において、前記最小アドレス値の最初のアドレス及び最大アドレス値の最後のアドレスに基づいて前記キャリッジを双方向に最短距離で印写開始位置に移動させる制御をする手段を備えたことを特徴とするインクジェット記録装置。」
　イ　「【００１５】このインクジェット記録装置は、
左右の主走査フレーム１，１間に設けたフロントガイド２及びガイドシャフト３にキャリッジ４を摺動自在に搭載し、このキャリッジ４の下面側に例えばイエロー（Ｙ）、マゼンタ（Ｍ）、シアン（Ｃ）及びブラック（Ｂｋ）の各インクのインク滴を吐出するための複数個のインクジェットヘッドからなる記録ヘッド５を取付けると共に、上面に各色のインクのインクカートリッジ６を着脱自在に備えている
【００１６】そして、
左右の主走査フレーム１，１間に設けた略Ｌ字型のステー７に主走査モータ８を取付け、この主走査モータ８の回転軸に後述する本発明に係る駆動プーリの内の歯付き駆動プーリ９とステー７に取付けた従動プーリ１０との間にベルト１１を張装し、図２に示すように前記キャリッジ４をこのベルト１１にベルトクランプ１２で固定して、主走査モータ８を回転駆動することでキャリッジ４を図１の矢示Ａ方向（主走査方向）に走査するようにしている
　ウ　「【００２１】次に、このインクジェット記録装置の制御部の概要について図３を参照して説明する。この制御部は
、ホスト側から転送される印刷データ（描画コマンド）等を受信し、主走査方向に１ライン毎に記録密度ｄ単位でシリアルに記録データ（以下、「ビデオデータ」という。）を生成する記録データ生成手段であるシリアルデータ生成装置４１を含むプリンタコントロール部４０と、このプリンタコントローラ部４０から転送されるシリアルのビデオデータ等の情報に基づいて記録ヘッド５の駆動制御や主走査モータ８及び副走査モータ３４の駆動制御等を行なうエンジンコントローラ部４２とを備え
【００２２】
エンジンコントローラ部４２は、
プリンタコントローラ部４０のシリアルデータ生成装置４１からのビデオデータ等を受信する受信手段である受信回路４５（シリアルーパラレル変換部を含む）と、この受信回路４５で受信したビデオデータを格納するメモリ４６
このメモリ４６へのビデオデータの書込みを制御する書込み制御回路４７と、メモリ４６から記録ヘッド５のノズル配置に合わせてビデオデータを読み出す読出し手段である読み出し制御回路４８
メモリ４６から読み出したビデオデータをヘッド駆動回路４９に送出して記録ヘッド５を駆動させ、ＣＰＵ４４からのドライブ制御信号をモータドライバ５０に送出して主走査モータ８及び副走査モータ３４を駆動させ
【００２３】ここで、プリンタコントローラ部４０（シリアルデータ生成装置４１）とエンジコントローラ部４２（受信回路４５）との間のビデオＩ／Ｆ４３には、図４に示すようなデータ及び信号送受するラインがある。
ＣＢＲ：コントローラバッファレディ信号であり、プリンタコントローラ部４０が１ライン分のシリアルデータ（ビデオデータ）を転送する準備ができたときにアクティブになる信号
ＥＢＲ：エンジンバッファレディ信号であり、エンジンコントローラ部４２が１ライン分のシリアルデータ（ビデオデータ）を受信する準備ができたときにアクティブになる信号
ＶＣＬＫ：プリンタコントローラ部４０のビデオデータ同期信号
Ｙ，Ｍ，Ｃ，ＫＤＡＴＡ：イエロー、マゼンタ、シアン、ブラックの各ビデオデータ
【００２４】そして、エンジコントローラ部４２の
受信回路４５には、図５に示すように受信部５１と、実効印写領域を検出する実効印写領域検出回路５２とを備えている
受信部５１は、Ｙ，Ｍ，Ｃ，Ｋの４色のシリアルデータを受信する手段と、その１ライン分をエンジンコントローラ部４２のメモリ４６に格納するためのシリアルデータアドレスカウンタ等を有する
【００２５】実効印写領域検出回路５２は、受信部５１の上記シリアルデータアドレスカウンタからのシリアルデータアドレスと受信したシリアルデータとから実効印写領域を検出する。この場合、４色の各シリアルデータの内に１色でも
インク滴吐出データ（インク滴を吐出させるためにエネルギー発生手段の駆動を要求するデータの意味）
　エ　「【００３１】次に、本発明に係る実効印写領域検出手段の他の例について図９を参照して説明する。
この実効印写領域検出回路は、
【００３２】一方、
受信部５１内のシリアルデータアドレスをカウントするアドレスカウンタ６０からのｎビットのアドレスデータを入力し、ナンド回路５７の出力／ＬＤ１（明細書中の符号の「／」は反転を意味する。）を反転した出力とアドレスカウンタ６０からのアドレスデータをファーストアドレス検出部６１に入力し、ナンド回路５９の出力／ＬＤ２を反転した出力とアドレスカウンタ６０からのアドレスデータをラストアドレス検出部６２に入力する
【００３３】
ファーストアドレス検出部６１からは主走査方向に１ライン毎に生成されるシリアルのビデオデータに含まれるインク滴吐出データに対応する最初のアドレス（これを「ファーストアドレス」という。）が検出されてそのアドレス値が出力され、ラストアドレス検出部６２からは主走査方向に１ライン毎に生成されるシリアルのビデオデータに含まれるインク滴吐出データの最後のアドレス（これを「ラストアドレス」という。）であるラストアドレスが検出されてそのアドレス値が出力される
【００３４】ここで、これらのファーストアドレス及びラストアドレスは１ライン分のデータであるので、ｎ個のノズルを有し、１回の主走査でｎラインを同時に印写する場合には、ｎラインの各ファーストアドレス及びラストアドレスの内で最小のファーストアドレス及び最大のラストアドレスを抽出する必要がある。
【００３５】そこで、ＣＰＵ４４で実行するアドレス抽出処理について図１１を参照して説明する。このアドレス抽出処理は、ｎ個のノズルを記録密度ｄと同じノズル配置密度Ｄ（＝ｄ）で配置したインクジェットヘッドを用いる場合の例である。まず、ファーストアドレス検出部６１からのファーストアドレスＦＡ、ラストアドレス検出部６２からのラストアドレスＬＡを取り込んで、現ラインのファーストアドレスＦＡＮが保持しているファーストアドレスＦＡＯより小さい（ＦＡＮ＜ＦＡＯ）か否かを判別し、ＦＡＮ＜ＦＡＯであれば、保持しているファーストアドレスＦＡＯを今回取り込んだファーストアドレスＦＡＮに更新し（ＦＡＮ→ＦＡＯ）する。
【００３６】同様に、現ラインのラストアドレスＬＡＮが保持しているラストアドレスＬＡＯより大きい（ＬＡＮ＞ＬＡＯ）か否かを判別し、ＬＡＮ＞ＬＡＯであれば、保持しているラストアドレスＬＡＯを今回取り込んだファーストアドレスＬＡＮに更新し（ＬＡＮ→ＬＡＯ）する。そして、ｎライン分のファーストアドレスＦＡ、ラストアドレスＬＡの取込が終了すれば、そのときに保持しているファーストアドレスＦＡＯ及びラストアドレスＬＡＯを検出アドレスとしてキャリッジの移動制御を行う。
【００３７】このように、ＣＰＵ４４の演算による抽出処理は、第１ラインのファーストアドレスと第２ラインのファーストアドレスとを比較して小さい方のファーストアドレスを残し、これを次のラインのファーストアドレスと比較して同様に小さい方のファーストアドレスを残すという処理を第ｎラインまで行なう（ラストアドレスについても同様）ものであり、簡単なソフトのサブルーチンで行なえるので、処理時間も短くスループットのダウンを生じない。
【００３８】これを図１１を参照して具体的に説明すると、同図（ａ）に示すようにインクジェットヘッドは第１ノズルから第ｎノズルのｎ個のノズルを有し、かつ、ノズルピッチ（ノズル配置密度）Ｄと記録密度ｄとが同じ（Ｄ＝ｄ）である。また、ここでは、説明を簡単にするために、オア出力が１つのみとする。
【００３９】上述したように
実効印写領域検出回路からはｎラインについて各ラインのファーストアドレス及びラストアドレスが出力されて、ｎラインのファーストアドレスの最小アドレス値及びラストアドレスの最大アドレス値をＣＰＵ４４による上述したような演算処理或いは図示しないハードウェア構成の比較回路によって検出することで、同図（ｃ）に示すようにｎラインのシリアルデータの内で最小のファーストアドレス及び最大のラストアドレスを得
【００４０】
このようにして得られるファーストアドレス及びラストアドレスに基づいてＣＰＵ４４はキャリッジを双方向に最短距離で移動させる双方向最短印写制御を行なう
すなわち、図１２に示すように、前行の印写終了位置（現ドット位置）を取り込んだ後、本行のファーストアドレス（ドット位置）ＦＡ及びラストアドレス（ドット位置）ＬＡを取込み、現ドット位置からファーストアドレスＦＡまでの距離ＦＡＳ、現ドット位置からラストアドレスＬＡまでの距離ＬＡＳを算出して、ＦＡＳ＜ＬＡＳか否かを判別する
【００４１】
そして、ＦＡＳ＜ＬＡＳであれば、キャリッジをファーストアドレスＦＡの位置へ移動し、ＦＡＳ＜ＬＡＳでなければ、キャリッジをラストアドレスＬＡの位置へ移動した後、印写方向を決定する
【００４２】
例えば、図１３（ａ）に示す例では、前行（ｎライン分）を往路方向で印写した後、印写終了位置（アドレス）と次行のファーストアドレスＦＡ及びラストアドレスＬＡとを比較して、キャリッジの移動距離が短い方のアドレス、ここではファーストアドレスＦＡにキャリッジを移動させた後、本行（ｎライン分）を往路方向で印写する。また、同図（ｂ）に示す例では、前行を往路方向で印写した後、印写終了位置（アドレス）と次行のファーストアドレスＦＡ及びラストアドレスＬＡとを比較して、キャリッジの移動距離が短い方のアドレス、ここではラストアドレスＬＡにキャリッジを移動させた後、本行を復路方向で印写する。【００４３】このように前行の印写終了位置と次行のファーストアドレス及びラストアドレスの情報に基づいて最短距離でキャリッジを移動させることで、印写のスループットを最小にすることができて高速記録が可能になる
　オ　「【００４９】
【発明の効果】以上説明したように、請求項１のインクジェット記録装置によれば、主走査方向に１ライン毎に記録密度単位でシリアルに記録データを生成する記録データ生成手段と、この記録データ生成手段で生成された記録データを受信する受信手段と、この受信手段で受信した記録データを格納するメモリ手段と、このメモリ手段からインクジェットヘッドのノズル配置に合わせて記録データを読み出す読出し手段を備えると共に、受信手段には実効印写領域を検出する実効印写領域検出手段を備えている構成としたので、
簡単な回路構成でビデオデータの受信中にリアルタイムで実効印写領域を検出でき、ビットマップメモリの内部をスキャンして実効印写領域を検出する場合に比べて格段に処理時間を短縮でき、全体的なスループットを高めて高速印写ができるようになる
【００５０】請求項２のインクジェット記録装置によれば、上記請求項１のインクジェット記録装置において、実効印写領域検出手段は主走査方向に１ライン毎に生成されるシリアルの記録データに含まれるインク滴吐出データに対応する最初のアドレス及び最後のアドレスを検出する構成としたので、受信回路に備えられるシリアルデータアドレスカウンタのカウント値で実効印写領域を検出できて、実効印写領域の検出のための構成が簡単になる。」
　カ　図３より、「ヘッド駆動回路４９」が、「ヘッド５」に「ビデオデータ」を供給し、「ヘッド５」を駆動していることが看取できる。
　
（２）上記（１）アないしカから、引用文献には次の発明（以下「引用発明」という。）が記載されていると認める。
　
　「左右の主走査フレーム１，１間に設けたフロントガイド２及びガイドシャフト３にキャリッジ４を摺動自在に搭載し、このキャリッジ４の下面側に例えばイエロー（Ｙ）、マゼンタ（Ｍ）、シアン（Ｃ）及びブラック（Ｂｋ）の各インクのインク滴を吐出するための複数個のインクジェットヘッドからなる記録ヘッド５を取付けると共に、上面に各色のインクのインクカートリッジ６を着脱自在に備え、左右の主走査フレーム１，１間に設けた略Ｌ字型のステー７に主走査モータ８を取付け、この主走査モータ８の回転軸に後述する本発明に係る駆動プーリの内の歯付き駆動プーリ９とステー７に取付けた従動プーリ１０との間にベルト１１を張装し、前記キャリッジ４をこのベルト１１にベルトクランプ１２で固定して、主走査モータ８を回転駆動することでキャリッジ４を主走査方向に走査するようにしており、
　ホスト側から転送される印刷データ（描画コマンド）等を受信し、主走査方向に１ライン毎に記録密度ｄ単位でシリアルに記録データ（以下、「ビデオデータ」という。）を生成する記録データ生成手段であるシリアルデータ生成装置４１を含むプリンタコントロール部４０と、このプリンタコントローラ部４０から転送されるシリアルのビデオデータ等の情報に基づいて記録ヘッド５の駆動制御や主走査モータ８及び副走査モータ３４の駆動制御等を行なうエンジンコントローラ部４２とを備え、
　エンジンコントローラ部４２は、プリンタコントローラ部４０のシリアルデータ生成装置４１からのビデオデータ等を受信する受信手段である受信回路４５（シリアルーパラレル変換部を含む）と、この受信回路４５で受信したビデオデータを格納するメモリ４６と、このメモリ４６へのビデオデータの書込みを制御する書込み制御回路４７と、メモリ４６から記録ヘッド５のノズル配置に合わせてビデオデータを読み出す読出し手段である読み出し制御回路４８を備え、
　メモリ４６から読み出したビデオデータをヘッド駆動回路４９に送出して、ヘッド駆動回路４９が、ヘッド５にビデオデータを供給し、記録ヘッド５を駆動させ、ＣＰＵ４４からのドライブ制御信号をモータドライバ５０に送出して主走査モータ８及び副走査モータ３４を駆動させ、
　受信回路４５には、受信部５１と、実効印写領域を検出する実効印写領域検出回路５２とを備え、受信部５１は、Ｙ，Ｍ，Ｃ，Ｋの４色のシリアルデータを受信する手段と、その１ライン分をエンジンコントローラ部４２のメモリ４６に格納するためのシリアルデータアドレスカウンタ等を有し、
　実効印写領域検出回路は、受信部５１内のシリアルデータアドレスをカウントするアドレスカウンタ６０からのｎビットのアドレスデータを入力し、ナンド回路５７の出力／ＬＤ１（明細書中の符号の「／」は反転を意味する。）を反転した出力とアドレスカウンタ６０からのアドレスデータをファーストアドレス検出部６１に入力し、ナンド回路５９の出力／ＬＤ２を反転した出力とアドレスカウンタ６０からのアドレスデータをラストアドレス検出部６２に入力し、ファーストアドレス検出部６１からは主走査方向に１ライン毎に生成されるシリアルのビデオデータに含まれるインク滴吐出データ（インク滴を吐出させるためにエネルギー発生手段の駆動を要求するデータの意味）に対応する最初のアドレス（これを「ファーストアドレス」という。）が検出されてそのアドレス値が出力され、ラストアドレス検出部６２からは主走査方向に１ライン毎に生成されるシリアルのビデオデータに含まれるインク滴吐出データの最後のアドレス（これを「ラストアドレス」という。）であるラストアドレスが検出されてそのアドレス値が出力され、実効印写領域検出回路からはｎラインについて各ラインのファーストアドレス及びラストアドレスが出力されて、ｎラインのファーストアドレスの最小アドレス値及びラストアドレスの最大アドレス値をＣＰＵ４４による上述したような演算処理或いは図示しないハードウェア構成の比較回路によって検出することで、ｎラインのシリアルデータの内で最小のファーストアドレス及び最大のラストアドレスを得られ、このようにして得られるファーストアドレス及びラストアドレスに基づいてＣＰＵ４４はキャリッジを双方向に最短距離で移動させる双方向最短印写制御を行なう、すなわち、前行の印写終了位置（現ドット位置）を取り込んだ後、本行のファーストアドレス（ドット位置）ＦＡ及びラストアドレス（ドット位置）ＬＡを取込み、現ドット位置からファーストアドレスＦＡまでの距離ＦＡＳ、現ドット位置からラストアドレスＬＡまでの距離ＬＡＳを算出して、ＦＡＳ＜ＬＡＳか否かを判別し、ＦＡＳ＜ＬＡＳであれば、キャリッジをファーストアドレスＦＡの位置へ移動し、ＦＡＳ＜ＬＡＳでなければ、キャリッジをラストアドレスＬＡの位置へ移動した後、印写方向を決定するもので、前行（ｎライン分）を往路方向で印写した後、印写終了位置（アドレス）と次行のファーストアドレスＦＡ及びラストアドレスＬＡとを比較して、キャリッジの移動距離が短い方のアドレス、例えばファーストアドレスＦＡのときには、そのファーストアドレスＦＡにキャリッジを移動させた後、本行（ｎライン分）を往路方向で印写し、例えばラストアドレスＬＡのときには、ラストアドレスＬＡにキャリッジを移動させた後、本行を復路方向で印写することにより、前行の印写終了位置と次行のファーストアドレス及びラストアドレスの情報に基づいて最短距離でキャリッジを移動させることで、印写のスループットを最小にすることができて高速記録が可能になり、
　簡単な回路構成でビデオデータの受信中にリアルタイムで実効印写領域を検出でき、ビットマップメモリの内部をスキャンして実効印写領域を検出する場合に比べて格段に処理時間を短縮でき、全体的なスループットを高めて高速印写ができるようになるインクジェット記録装置。」
　
４　対比
　本願発明と引用発明とを対比する。
（１）引用発明の「記録ヘッド５」及び「ビデオデータ」は、本願発明の「印刷ヘッド」及び「イメージデータ」に相当し、引用発明の「インクジェット記録装置」は、「イエロー（Ｙ）、マゼンタ（Ｍ）、シアン（Ｃ）及びブラック（Ｂｋ）の各インクのインク滴を吐出するための複数個のインクジェットヘッドからなる記録ヘッド５」を用いることから、本願発明の「カラープリンタ」に相当する。
　
（２）引用発明の「左右の主走査フレーム１，１間に設けたフロントガイド２及びガイドシャフト３にキャリッジ４を摺動自在に搭載し、このキャリッジ４の下面側に例えばイエロー（Ｙ）、マゼンタ（Ｍ）、シアン（Ｃ）及びブラック（Ｂｋ）の各インクのインク滴を吐出するための複数個のインクジェットヘッドからなる記録ヘッド５を取付けると共に、上面に各色のインクのインクカートリッジ６を着脱自在に備え、左右の主走査フレーム１，１間に設けた略Ｌ字型のステー７に主走査モータ８を取付け、この主走査モータ８の回転軸に後述する本発明に係る駆動プーリの内の歯付き駆動プーリ９とステー７に取付けた従動プーリ１０との間にベルト１１を張装し、前記キャリッジ４をこのベルト１１にベルトクランプ１２で固定して、主走査モータ８を回転駆動することでキャリッジ４を主走査方向に走査するようにし」た構造は、「記録ヘッド５」を搭載し、「主走査方向に走査するように」されていることから、本願発明の「印刷ヘッドを主走査方向に移動させる移動機構」に相当する。
　
（３）引用発明の「メモリ４６」は、「プリンタコントローラ部４０のシリアルデータ生成装置４１からのビデオデータ等を受信する受信手段である受信回路４５」で「受信したビデオデータを格納する」ものであり、「受信回路４５」の「受信部５１」は、「Ｙ，Ｍ，Ｃ，Ｋの４色のシリアルデータを受信する手段」を有していること、また、「シリアルデータ生成装置４１」は、「ホスト側から転送される印刷データ（描画コマンド）等を受信し、主走査方向に１ライン毎に記録密度ｄ単位でシリアルに記録データ（以下、「ビデオデータ」という。）を生成する記録データ生成手段である」ことから、少なくとも、「１ライン分の色別のイメージデータを記憶している」ことは明らかである。
　してみると、引用発明の「メモリ４６」は、本願発明の「１印刷行分の色別のイメージデータをそれぞれ記憶する複数のイメージバッファ」と、「すくなくとも１印刷行分の色別のイメージデータを記憶するメモリ」という点で一致する。
　
（４）引用発明の「ファーストアドレス」は、「主走査方向に１ライン毎に生成されるシリアルのビデオデータに含まれるインク滴吐出データ（インク滴を吐出させるためにエネルギー発生手段の駆動を要求するデータの意味）に対応する最初のアドレス」であるから、本願発明の「開始アドレス」と、「色別のイメージデータの開始アドレス」という点で一致する。
　
（５）同様に、引用発明の「ラストアドレス」は、「主走査方向に１ライン毎に生成されるシリアルのビデオデータに含まれるインク滴吐出データの最後のアドレス」であるから、本願発明の「終了アドレス」と、「色別のイメージデータの終了アドレス」という点で一致する。
　
（６）引用発明の「最小のファーストアドレス」及び「最大のラストアドレス」は、本願発明の「最先頭アドレス」及び「最後尾アドレス」と、それぞれ「色別のイメージデータの開始アドレスのうち最小のアドレス」及び「色別のイメージデータの終了アドレスのうち最大のアドレス」という点で一致する。
　
（７）引用発明の「ＣＰＵ４４」は、「ファーストアドレス及びラストアドレスに基づいて」、「キャリッジを双方向に最短距離で移動させる双方向最短印写制御を行なう」ことから、本願発明の「移動制御手段」と、「各色イメージデータの最先頭アドレスと最後尾アドレスとに基づいて、前記最先頭アドレスに対応する主走査方向の印刷開始位置から、前記最後尾アドレスに対応する主走査方向の印刷終了位置までの位置範囲を前記印刷ヘッドが連続移動するように、前記移動機構を制御する移動制御手段」という点で一致する。
　
（８）引用発明は、「シリアルデータ生成装置４１」により、「主走査方向に１ライン毎に記録密度ｄ単位でシリアルに記録データ」が生成され、この記録データを「ビデオデータ」としているから、引用発明の「メモリ４６へのビデオデータの書込みを制御する書込み制御回路４７」は、本願発明の「前記主走査方向における前記１印刷行の各色イメージの開始位置から終了位置までの範囲に対応する各色イメージバッファの記憶領域に、前記１印刷行分の各色イメージデータを格納するデータ格納手段」と、「１印刷行分の各色イメージデータを格納するデータ格納手段」という点で一致する。
　
（９）引用発明の「ヘッド駆動回路４９」は、送出された「メモリ４６から読み出したビデオデータ」について、「ヘッド５にビデオデータを供給し、記録ヘッド５を駆動させ」ているから、本願発明の「前記各色イメージバッファの前記最先頭アドレスから前記最後尾アドレスまでの記憶領域から読み出した前記各色のイメージデータを前記印刷ヘッドに供給するヘッド駆動手段」と、「記憶領域から読み出した前記各色のイメージデータを前記印刷ヘッドに供給するヘッド駆動手段」という点で一致する。
　
（１０）上記（１）ないし（９）からみて、本願発明と引用発明とは、
「印刷ヘッドと、
　前記印刷ヘッドを主走査方向に移動させる移動機構と、
　すくなくとも１印刷行分の色別のイメージデータを記憶するメモリと、
　１印刷行分の各色イメージデータを格納するデータ格納手段と、
　各色イメージデータの最先頭アドレスと最後尾アドレスとに基づいて、前記最先頭アドレスに対応する主走査方向の印刷開始位置から、前記最後尾アドレスに対応する主走査方向の印刷終了位置までの位置範囲を前記印刷ヘッドが連続移動するように、前記移動機構を制御する移動制御手段と、
　記憶領域から読み出した前記各色のイメージデータを前記印刷ヘッドに供給するヘッド駆動手段と、
　を備え、
　前記最先頭アドレスは、色別のイメージデータの開始アドレスのうち最小のアドレスであり、　
　前記最後尾アドレスは、色別のイメージデータの終了アドレスのうち最大のアドレスである
　カラープリンタ。」
の点で一致し、以下の点でひとまず相違している。
　
＜相違点１＞
　「１印刷行分の色別のイメージデータを記憶するメモリ」について、本願発明は、「それぞれ（の色のイメージデータを）記憶する複数のイメージバッファ」と特定されているのに対し、引用発明はそのような限定が付されていない点。
　
＜相違点２＞
　「最先頭アドレス」及び「最後尾アドレス」について、本願発明は、「前記複数のイメージバッファに格納された色別のイメージデータの開始アドレスのうち最小のアドレス」及び「前記複数のイメージバッファに格納された色別のイメージデータの終了アドレスのうち最大のアドレス」であると特定されているのに対し、引用発明はそのような限定が付されていない点。
　
＜相違点３＞
　「１印刷行分の各色イメージデータを格納するデータ格納手段」について、本願発明は、「前記主走査方向における前記１印刷行の各色イメージの開始位置から終了位置までの範囲に対応する各色イメージバッファの記憶領域に」格納するのに対し、引用発明はそのようになっているか定かでない点。
　
＜相違点４＞
　「記憶領域から読み出した前記各色のイメージデータを前記印刷ヘッドに供給するヘッド駆動手段」について、本願発明は、「前記各色イメージバッファの前記最先頭アドレスから前記最後尾アドレスまでの記憶領域から読み出した」のに対し、引用発明はそのようになっているか定かでない点。
　
＜相違点５＞
「各色イメージデータの最先頭アドレスと最後尾アドレスとに基づいて、前記最先頭アドレスに対応する主走査方向の印刷開始位置から、前記最後尾アドレスに対応する主走査方向の印刷終了位置までの位置範囲を前記印刷ヘッドが連続移動するように、前記移動機構を制御する移動制御手段」について、本願発明では、「各色イメージバッファ内に格納された前記各色イメージデータ内の両端部に存在するヌル領域および、前記各色イメージバッファ内に格納された前記各色イメージデータ以外に存在するヌル領域を除外した各色の正味のイメージデータの最先頭アドレスと最後尾アドレスとに基づいて」いるのに対し、引用発明ではそのようになっているか定かでない点。
　
５　判断
（１）相違点１について
  カラープリンタにおけるイメージデータを記憶する「メモリ」として、「１パス順づつＫ、Ｃ、Ｍ、Ｙの４色のイメージデータをそれぞれ記憶する４つのイメージバッファ」は、従来より周知である（例：特開平９−１７４９５２号公報（段落【００３５】から【００４０】及び図５等参照。）及び特公平４−２８２３１号公報（請求人提示の先行技術。第４欄第３５行から第５欄第２１行、第１図及び第２図等参照。）。以下「周知技術」という。）から、引用発明のイメージバッファ（メモリ４６）に上記周知技術を採用して、「１印刷行分の色別のイメージデータをそれぞれ記憶する複数のイメージバッファ」とすることは、当業者が容易に想到し得ることである。
　
（２）相違点２について
　引用発明の「１ライン毎に生成されるシリアルのイメージデータ（ビデオデータ）」は、「実行印写領域検出回路５２」により、「開始アドレス（ファーストアドレス）」及び「終了アドレス（ラストアドレス）」を検出されるとともに、「メモリ５４」に格納されている。そして、「ＣＰＵ４４」により「開始アドレス（ファーストアドレス）」及び「終了アドレス（ラストアドレス）」から、「最先頭アドレス（最小のファーストアドレス）」及び「最後尾アドレス（最大のラストアドレス）」が得られている。
　引用発明は、このような構成を採ることにより、「ビットマップメモリの内部をスキャンして実行印字領域を検出する場合に比べて格段に処理時間を短縮でき」るものである。
　よって、「メモリ５４」に格納される「イメージデータ（ビデオデータ）」と、「実行印写領域検出回路５２」に使用される「イメージデータ（ビデオデータ）」とは、全く等価なデータである。
　してみれば、引用発明の「開始アドレス（ファーストアドレス）」及び「終了アドレス（ラストアドレス）」は、メモリ格納前の段階で検出しても、メモリ格納後の段階で検出しても、全く同様な値を得られることとなるから、それらの検出につき、処理時間の短縮を重視せずに「ビットマップメモリの内部をスキャンして実行印字領域を検出する」ようにして、「最先頭アドレス」及び「最後尾アドレス」を、「前記複数のイメージバッファに格納された色別のイメージデータの開始アドレスのうち最小のアドレス」及び「前記複数のイメージバッファに格納された色別のイメージデータの終了アドレスのうち最大のアドレス」とすることは、当業者であれば容易に想到しうるものである。
　したがって、相違点２に係る本願発明の構成は、引用文献に基づいて、当業者が容易に想到し得るものである。
　
（３）相違点３について
　引用発明の「イメージバッファ（メモリ４６）」は、「１印刷行分の各色イメージデータを格納」しているのであるから、それらを記憶する記憶領域を有し、当該領域は、すくなくとも各色イメージの開始位置から終了位置までの範囲に対応する領域を有していることは明らかである。けだし、なんらかの特殊な構造を採用しない限り、そのような領域がなければ、「イメージバッファ（メモリ４６）」は、１印刷行分の各色イメージデータを格納できないからである。
　してみれば、相違点３に係る事項は実質的な相違点ではない。
　
（４）相違点４について
　引用発明は、「
前行（ｎライン分）を
印写した後
ファーストアドレスＦＡにキャリッジを移動させた後、本行（ｎライン分）を往路方向で印写
ラストアドレスＬＡにキャリッジを移動させた後、本行を復路方向で印写
  してみれば、引用発明の「ヘッド駆動手段」が、「記憶領域から読み出した、印刷ヘッドに供給する各色のイメージデータ」を、実効印写領域に相当する「『最先頭アドレス（「最小のファーストアドレス」又は「その行のファーストアドレスＦＡ」）』から『最後尾アドレス（「最大のラストアドレス」又は「その行のラストアドレスＬＡ」）』までのデータ」とすることは、当業者が容易に想到し得ることである。
　したがって、相違点４に係る本願発明の構成は、引用文献に基づいて、当業者が容易に想到し得るものである。
　
（５）相違点５について
  引用発明の「開始アドレス（ファーストアドレス）」は、「ファーストアドレス検出部６１」において、「主走査方向に１ライン毎に生成されるシリアルのビデオデータに含まれるインク滴吐出データ（インク滴を吐出させるためにエネルギー発生手段の駆動を要求するデータの意味）に対応する最初のアドレス（これを「ファーストアドレス」という。）が検出」され、引用発明の「終了アドレス（ラストアドレス）」は、「ラストアドレス検出部６２」において、「主走査方向に１ライン毎に生成されるシリアルのビデオデータに含まれるインク滴吐出データの最後のアドレス（これを「ラストアドレス」という。）が検出」されているから、引用発明の「開始アドレス（ファーストアドレス）」及び「終了アドレス（ラストアドレス）」は、インク滴を吐出させるためにエネルギー発生手段の駆動を要求するデータがあるアドレスであり、いわゆるヌルデータのアドレスでないことは明らかである。
　また、上記（２）でも述べたように「引用発明の「開始アドレス（ファーストアドレス）」及び「終了アドレス（ラストアドレス）」は、メモリ格納前の段階で検出しても、メモリ格納後の段階で検出しても、全く同様な値を得られる」こととなり、データ（アドレス）としては、各色イメージバッファ内に格納されたものか否かによりなんら差違は生じないから、引用発明の「最先頭アドレス（最小のファーストアドレス）及び最後尾アドレス（最大のラストアドレス）」は、本願発明の「各色イメージバッファ内に格納された前記各色イメージデータ内の両端部に存在するヌル領域および、前記各色イメージバッファ内に格納された前記各色イメージデータ以外に存在するヌル領域を除外した各色の正味のイメージデータの最先頭アドレスと最後尾アドレス」に相当する。
　したがって、相違点５に係る事項は実質的な相違点ではない。
　
（６）効果について
　本願発明の奏する効果は、引用発明の奏する効果及び周知技術の奏する効果から当業者が予測できた程度のものである。
　
（７）まとめ
　以上の検討によれば、本願発明は、当業者が引用文献に記載された発明及び周知技術に基づいて容易に発明することができたものである。
　
６　むすび
　以上のとおり、本願発明は、当業者が引用文献に記載された発明及び周知技術に基づいて容易に発明をすることができたものであるから、特許法第２９条第２項の規定により特許を受けることができない。
　よって、結論のとおり審決する。